(57)【要約】【課題】構造躯体へのＡＬＣパネルの取付作業を屋外側から行うことによって作業性に優れたＡＬＣパネルの取付構造およびＡＬＣパネルの取付方法を提供すること。【解決手段】縦壁パネル１０の上端側と下端側にはそれぞれ幅方向の中央位置にアンカー金具１６が１つずつ埋設され、アンカー金具１６を介してパネル裏面に取付金具が取り付けられ、下段縦壁パネル１０ａの上端側アンカー金具１６ａに取り付けられた上端固定用取付金具４０の上端が下段縦壁パネル１０ａの上端よりも上側で躯体に固定され、上段縦壁パネル１０ｂの下端側アンカー金具１６ｂに取り付けられた下端固定用取付金具２０の下端が上端固定用取付金具４０の上端を避けるように幅方向に二又状に分岐し、その分岐した下端が下段縦壁パネル１０ａの上端と上段縦壁パネル１０ｂの下端との間に設けた隙間Ｓ２に現れ、この部分で下端固定用取付金具２０の下端が躯体に固定される。【選択図】図６
2014159696.tif 000002
【特許請求の範囲】
【請求項１】
水平方向の躯体間に架設するＡＬＣ製の縦壁パネルが屋外側から木造建物の躯体の上下方向に２枚以上取り付けられるＡＬＣパネルの取付構造であって、
縦壁パネルの上端側および下端側にはそれぞれ幅方向の中央位置にアンカー金具が１つずつ埋設されていて該アンカー金具を介して躯体に対向させるパネル裏面に取付金具が取り付けられており、
下段に配置される下段縦壁パネルの上端側アンカー金具に取り付けられた上端固定用取付金具の上端が下段縦壁パネルの上端よりも上側で躯体に固定され、
上段に配置される上段縦壁パネルの下端側アンカー金具に取り付けられた下端固定用取付金具の下端が上端固定用取付金具の上端を避けるように幅方向に二又状に分岐しており、その分岐した下端が下段縦壁パネルの上端と上段縦壁パネルの下端との間に設けた隙間に現れており、この部分で下端固定用取付金具の下端が躯体に固定されていることを特徴とするＡＬＣパネルの取付構造。
【請求項２】
上端固定用取付金具において下段縦壁パネルの上端よりも上側に位置する部分には下段縦壁パネルの上端面に平行な面を有する水平面部が設けられ、該水平面部は下段縦壁パネルの上端面の上に間隔をあけて配置され、該水平面部に上段縦壁パネルの下端が載置されることを特徴とする請求項１に記載のＡＬＣパネルの取付構造。
【請求項３】
垂直面部と水平面部とを有するＬ字形金具の垂直面部が上端固定用取付金具の上端に当接固定されて、上端固定用取付金具に水平面部が設けられることを特徴とする請求項２に記載のＡＬＣパネルの取付構造。
【請求項４】
上端固定用取付金具の上端とＬ字形金具の垂直面部とが共通のビスによって躯体に固定されることを特徴とする請求項３に記載のＡＬＣパネルの取付構造。
【請求項５】
共通のビスを挿通する上端固定用取付金具のビス挿通孔およびＬ字形金具のビス挿通孔のいずれか一方が上下方向に長い長穴で構成されて、Ｌ字形金具の水平面部の高さ位置が調節可能であることを特徴とする請求項４に記載のＡＬＣパネルの取付構造。
【請求項６】
上端固定用取付金具はＬ字形金具に挿通しない単独のビスを用いて躯体に固定され、単独のビスを挿通するビス挿通孔が皿孔であり、単独のビスが皿頭ビスであることを特徴とする請求項３から５のいずれか１項に記載のＡＬＣパネルの取付構造。
【請求項７】
下端固定用取付金具は上段縦壁パネルの下端側アンカー金具にボルトを用いて固定され、下端固定用取付金具のボルトを挿通するボルト挿通孔が上下方向に長い長穴で構成され、下端固定用取付金具の下端における躯体への固定位置が高さ方向に調節可能であることを特徴とする請求項１から６のいずれか１項に記載のＡＬＣパネルの取付構造。
【請求項８】
水平方向の躯体間に架設するＡＬＣ製の縦壁パネルを屋外側から木造建物の躯体の上下方向に２枚以上取り付けるＡＬＣパネルの取付方法であって、
縦壁パネルの上端側および下端側にはそれぞれ幅方向の中央位置にアンカー金具が１つずつ埋設されていて該アンカー金具が躯体に対向させるパネル裏面側に開口しており、
下段に配置される下段縦壁パネルの上端側アンカー金具に上端固定用取付金具を取り付け、該上端固定用取付金具の上端を下段縦壁パネルの上端よりも上側で躯体に固定し、
上段に配置される上段縦壁パネルの下端側アンカー金具に、幅方向に二又状に分岐する下端を有する下端固定用取付金具をその上端で取り付け、分岐した下端を上端固定用取付金具の上端を避けてその幅方向両側に配置するとともに、その分岐した下端を下段縦壁パネルの上端と上段縦壁パネルの下端との間に設けた隙間に現われるように配置して、この部分で下端固定用取付金具の下端を躯体に固定することを特徴とするＡＬＣパネルの取付方法。
【請求項９】
上端固定用取付金具において下段縦壁パネルの上端よりも上側に位置する部分に、下段縦壁パネルの上端面に平行な面を有する水平面部を設け、該水平面部を下段縦壁パネルの上端面の上に間隔をあけて配置し、該水平面部に上段縦壁パネルの下端を載置することを特徴とする請求項８に記載のＡＬＣパネルの取付方法。
【請求項１０】
垂直面部と水平面部とを有するＬ字形金具の垂直面部を上端固定用取付金具の上端に当接固定することにより、上端固定用取付金具に水平面部を設けることを特徴とする請求項９に記載のＡＬＣパネルの取付方法。
【請求項１１】
上端固定用取付金具の上端とＬ字形金具の垂直面部とを共通のビスによって躯体に固定することを特徴とする請求項１０に記載のＡＬＣパネルの取付方法。
【発明の詳細な説明】
【技術分野】
【０００１】
本発明は、ＡＬＣパネルの取付構造およびＡＬＣパネルの取付方法に関し、さらに詳しくは、木造建物の外壁に用いられるＡＬＣパネルの取付構造およびＡＬＣパネルの取付方法に関するものである。
【背景技術】
【０００２】
木造建物の外壁に用いられるＡＬＣパネル（軽量気泡コンクリートパネル）のうち、厚さが７５ｍｍ以下の比較的薄いパネルは、パネルを貫通する釘を屋外側から木造躯体に打ち込んで取付固定する（特許文献１）。一方、厚さが７５ｍｍ超の比較的厚いパネルは、その重さに耐える取付強度が要求されるため、ＡＬＣパネル内にアンカー金具を埋設し、そのアンカー金具に取り付けた取付金具をビスで木造躯体に固定することにより木造躯体に取付固定する（特許文献２）。木造躯体はＡＬＣパネルよりも屋内側に配置されるので、取付金具をビスで木造躯体に固定する作業は、通常、屋内側から行われる。
【先行技術文献】
【特許文献】
【０００３】
【特許文献１】特開２００１−９０３１９号公報
【特許文献２】特開平０８−３１２０４２号公報
【特許文献３】特開２０１０−２８７５１号公報
【特許文献４】特開平０６−４４８３３号公報
【発明の概要】
【発明が解決しようとする課題】
【０００４】
木造建物は、構造上、鉄骨ラーメン構造建物と比べて柱の本数が多く、また、筋交いや間柱などが多用される。このため、ＡＬＣパネルは柱や筋交いなどがある位置に配置される可能性が高い。ＡＬＣパネルのアンカー金具の埋設位置が柱や筋交いなどの位置に重なると、アンカー金具に取り付けた取付金具を木造躯体に固定する作業が柱や筋交いなどに邪魔されて作業性が悪くなる。これを改善する試みとしては、特殊な構造のレンチを用いて取付金具の取付作業を行う例（特許文献３）や特殊な構造の取付金具を用いて取付作業を行う例（特許文献４）などがあるが、いずれの場合も屋内側から行う取付作業を改善するものである。
【０００５】
本発明が解決しようとする課題は、構造躯体へのＡＬＣパネルの取付作業を屋外側から行うことによって作業性に優れたＡＬＣパネルの取付構造およびＡＬＣパネルの取付方法を提供することにある。
【課題を解決するための手段】
【０００６】
上記課題を解決するため本発明に係るＡＬＣパネルの取付構造は、水平方向の躯体間に架設するＡＬＣ製の縦壁パネルが屋外側から木造建物の躯体の上下方向に２枚以上取り付けられるＡＬＣパネルの取付構造であって、縦壁パネルの上端側および下端側にはそれぞれ幅方向の中央位置にアンカー金具が１つずつ埋設されていて該アンカー金具を介して躯体に対向させるパネル裏面に取付金具が取り付けられており、下段に配置される下段縦壁パネルの上端側アンカー金具に取り付けられた上端固定用取付金具の上端が下段縦壁パネルの上端よりも上側で躯体に固定され、上段に配置される上段縦壁パネルの下端側アンカー金具に取り付けられた下端固定用取付金具の下端が上端固定用取付金具の上端を避けるように幅方向に二又状に分岐しており、その分岐した下端が下段縦壁パネルの上端と上段縦壁パネルの下端との間に設けた隙間に現れており、この部分で下端固定用取付金具の下端が躯体に固定されていることを要旨とするものである。
【０００７】
この際、上端固定用取付金具において下段縦壁パネルの上端よりも上側に位置する部分には下段縦壁パネルの上端面に平行な面を有する水平面部が設けられ、該水平面部は下段縦壁パネルの上端面の上に間隔をあけて配置され、該水平面部に上段縦壁パネルの下端が載置されることが望ましい。
【０００８】
そして、このとき、垂直面部と水平面部とを有するＬ字形金具の垂直面部が上端固定用取付金具の上端に当接固定されて、上端固定用取付金具に水平面部が設けられることが望ましい。
【０００９】
さらに、上端固定用取付金具の上端とＬ字形金具の垂直面部とが共通のビスによって躯体に固定されることが望ましい。
【００１０】
そして、共通のビスを挿通する上端固定用取付金具のビス挿通孔およびＬ字形金具のビス挿通孔のいずれか一方が上下方向に長い長穴で構成されて、Ｌ字形金具の水平面部の高さ位置が調節可能であることが好ましい。
【００１１】
さらに、上端固定用取付金具はＬ字形金具に挿通しない単独のビスを用いて躯体に固定され、単独のビスを挿通するビス挿通孔が皿孔であり、単独のビスが皿頭ビスであることが好ましい。
【００１２】
また、下端固定用取付金具は上段縦壁パネルの下端側アンカー金具にボルトを用いて固定され、下端固定用取付金具のボルトを挿通するボルト挿通孔が上下方向に長い長穴で構成され、下端固定用取付金具の下端における躯体への固定位置が高さ方向に調節可能であることが好ましい。
【００１３】
そして、本発明に係るＡＬＣパネルの取付方法は、水平方向の躯体間に架設するＡＬＣ製の縦壁パネルを屋外側から木造建物の躯体の上下方向に２枚以上取り付けるＡＬＣパネルの取付方法であって、縦壁パネルの上端側および下端側にはそれぞれ幅方向の中央位置にアンカー金具が１つずつ埋設されていて該アンカー金具が躯体に対向させるパネル裏面側に開口しており、下段に配置される下段縦壁パネルの上端側アンカー金具に上端固定用取付金具を取り付け、該上端固定用取付金具の上端を下段縦壁パネルの上端よりも上側で躯体に固定し、上段に配置される上段縦壁パネルの下端側アンカー金具に、幅方向に二又状に分岐する下端を有する下端固定用取付金具をその上端で取り付け、分岐した下端を上端固定用取付金具の上端を避けてその幅方向両側に配置するとともに、その分岐した下端を下段縦壁パネルの上端と上段縦壁パネルの下端との間に設けた隙間に現われるように配置して、この部分で下端固定用取付金具の下端を躯体に固定することを要旨とするものである。
【００１４】
この際、上端固定用取付金具において下段縦壁パネルの上端よりも上側に位置する部分に、下段縦壁パネルの上端面に平行な面を有する水平面部を設け、該水平面部を下段縦壁パネルの上端面の上に間隔をあけて配置し、該水平面部に上段縦壁パネルの下端を載置することが望ましい。
【００１５】
そして、このとき、垂直面部と水平面部とを有するＬ字形金具の垂直面部を上端固定用取付金具の上端に当接固定することにより、上端固定用取付金具に水平面部を設けることが望ましい。
【００１６】
さらに、上端固定用取付金具の上端とＬ字形金具の垂直面部とを共通のビスによって躯体に固定することが望ましい。
【発明の効果】
【００１７】
本発明に係るＡＬＣパネルの取付構造によれば、縦壁パネルの上端側および下端側の幅方向中央位置にそれぞれ１つずつ埋設されたアンカー金具を介して取付金具により縦壁パネルが水平方向の躯体間に架設されるとともに、下段縦壁パネルの上端と上段縦壁パネルの下端との間に隙間が設けられているので、各縦壁パネルは、幅方向中央位置を支点として幅方向両端側が上下動可能で、層間変形によってロッキングするように木造建物の躯体に取り付けられている。
【００１８】
このような構成において、下段縦壁パネルに埋設された上端側アンカー金具に取り付けられた上端固定用取付金具の上端は下段縦壁パネルの上端よりも上側で躯体に固定されるので、下段縦壁パネルの取付作業は屋外側から行うことができる。そして、上段縦壁パネルに埋設された下端側アンカー金具に取り付けられた下端固定用取付金具の下端は、上端固定用取付金具の上端を避けるように幅方向に二又状に分岐しており、下段縦壁パネルの上端と上段縦壁パネルの下端との間に設けた隙間に現れており、この部分で下端固定用取付金具の下端が躯体に固定されるので、下端が下段縦壁パネルと関わる上段縦壁パネルの取付作業も屋外側から行うことができる。したがって、木造建物の躯体の上下方向に２枚以上取り付ける縦壁パネルの取付作業を全て屋外から行うことができる。鉄骨ラーメン構造建物と比べて柱の本数が多く、筋交いや間柱などが多用される木造建物において、柱や筋交いなどに邪魔されることなく縦壁パネルの取付作業を行うことができるので、作業性に優れる。
【００１９】
この際、下段縦壁パネルに取り付けられた上端固定用取付金具において下段縦壁パネルの上端よりも上側に位置する部分に、下段縦壁パネルの上端面と間隔をあけて、上段縦壁パネルの下端が載置される水平面部が設けられると、上段縦壁パネルの位置決めが容易で、上段縦壁パネル下端の躯体への取付作業に必要な大きさの隙間を設定しやすい。
【００２０】
そして、このとき、垂直面部と水平面部とを有するＬ字形金具の垂直面部が上端固定用取付金具の上端に当接固定されて、上端固定用取付金具に水平面部が設けられる構成であれば、上端固定用取付金具を躯体に固定する部分の厚みがＬ字形金具の垂直面部の厚みの分だけ増えるので、上段縦壁パネルの躯体への取付強度が向上する。
【００２１】
さらに、上端固定用取付金具の上端とＬ字形金具の垂直面部とが共通のビスによって躯体に固定される構成であれば、上端固定用取付金具を躯体に固定する部分の厚みがＬ字形金具の垂直面部の厚みの分だけ増えるので、上段縦壁パネルの躯体への取付強度が向上する。
【００２２】
そして、共通のビスを挿通する上端固定用取付金具のビス挿通孔およびＬ字形金具のビス挿通孔のいずれか一方が上下方向に長い長穴で構成されて、Ｌ字形金具の水平面部の高さ位置が調節可能な構成であれば、縦壁パネルの製造誤差や取付誤差などの誤差を水平面部の高さ位置の調整によって吸収できるので、上段縦壁パネルの取付位置の精度が向上し、また、上段縦壁パネル下端の躯体への取付作業に必要な大きさの隙間を確実に設けることができる。
【００２３】
さらに、上端固定用取付金具がＬ字形金具に挿通しない単独のビスを用いて梁に固定され、単独のビスを挿通するビス挿通孔が皿孔であり、単独のビスが皿頭ビスである構成であれば、上端固定用取付金具の単独のビスを挿通するビス挿通孔の位置がＬ字形金具の垂直面部の取付位置に重なっていても単独のビスがＬ字形金具の垂直面部の取り付けを邪魔しないので、Ｌ字形金具は確実に上端固定用取付金具に取り付けられる。
【００２４】
また、下端固定用取付金具は上段縦壁パネルの下端側アンカー金具にボルトを用いて固定され、下端固定用取付金具のボルトを挿通するボルト挿通孔が上下方向に長い長穴で構成され、下端固定用取付金具の下端における躯体への固定位置が高さ方向に調節可能な構成であれば、縦壁パネルの製造誤差や取付誤差などの誤差を下端固定用取付金具の下端側アンカー金具への取付位置の調整によって吸収できるので、下段縦壁パネルの上端と上段縦壁パネルの下端との間に設けた隙間で確実に下端固定用取付金具の下端を躯体に固定できる。
【図面の簡単な説明】
【００２５】
【図１】木造建物の躯体とこの躯体に外壁として取り付けられる縦壁パネルを模式的に示した図である。
【図２】縦壁パネルの正面図（ａ）と、そのＡ−Ａ線における断面図（ｂ）である。
【図３】縦壁パネルに埋設された下端側アンカー金具に取り付けられる下端固定用取付金具の一例を示した斜視図（ａ）と、上端固定用取付金具に取り付けられるＬ字形金具の一例を示した斜視図（ｂ）と、縦壁パネルに埋設された上端側アンカー金具に取り付けられる上端固定用取付金具の一例を示した斜視図（ｃ）である。
【図４】上段縦壁パネルの下端側に下端側アンカー金具を介して下端固定用取付金具を取り付けた状態を示した図（ａ）と、下段縦壁パネルの上端側に上端側アンカー金具を介して上端固定用取付金具を取り付けた状態を示した図（ｂ）である。
【図５】縦壁パネルの取付手順を段階的に示した図である。
【図６】図５（ｃ）のＢ−Ｂ線断面を示した図である。
【発明を実施するための形態】
【００２６】
以下、本発明の実施形態について図面を用いて詳細に説明する。
【００２７】
図１は、木造建物の躯体とこの躯体に外壁として取り付けられる縦壁パネルを模式的に示した図であり、縦壁パネルの輪郭を点線で表して、躯体の縦壁パネルに重なる部分を視認できるように表している。図２は、縦壁パネルの正面図（ａ）と、そのＡ−Ａ線における断面図（ｂ）であり、縦壁パネルの輪郭を点線で表して、アンカー金具および補強鉄筋を視認できるように表している。
【００２８】
図１に示すように、木造建物の躯体は、例えば、水平方向に延びる基礎１と、水平方向に延びる梁２と、垂直方向に延びる柱３と、から構成される。このような木造建物の躯体に対し、外壁として縦壁パネル１０を用いる。
【００２９】
縦壁パネル１０はＡＬＣ（軽量気泡コンクリート）製のパネルであり、図２に示すように、そのコンクリート１２内にはカゴ状に組み合わされた補強鉄筋１４およびアンカー金具１６が所定の位置に埋設されている。アンカー金具１６は補強鉄筋１４に溶接等によって固定されており、縦壁パネル１０の上端側および下端側において幅方向の中央位置にそれぞれ１つずつ埋設されている。アンカー金具１６はボルトが螺合する雌ネジを１つ備えており、その雌ネジはパネル裏面に開口している。パネル裏面とは、躯体に対向させる側の面である。縦壁パネル１０の厚みとしては、特に限定されるものではないが、本発明の効果が高い点からいうと７５ｍｍ超である。
【００３０】
図１に示すように、縦壁パネル１０はその長さ方向を上下方向に向けて水平方向の躯体間に架設する。縦壁パネル１０は屋外側から木造建物の躯体の上下方向に２枚以上取り付けられる（図１では上下方向に２枚取り付ける例を示している）。図１において、下段に配置される下段縦壁パネル１０ａは、基礎１と１階部分の梁２ａの間を橋渡しするように架設し、上段に配置される上段縦壁パネル１０ｂは、１階部分の梁２ａと２階部分の梁２ｂの間を橋渡しするように架設する。
【００３１】
縦壁パネル１０を木造建物の躯体に取り付けるための取付金具としては、図３（ａ）〜（ｃ）に示すように、上段縦壁パネル１０ｂの下端側アンカー金具１６ｂに取り付ける下端固定用取付金具２０と、上段縦壁パネル１０ｂの下端を支持するＬ字形金具３０と、下段縦壁パネル１０ａの上端側アンカー金具１６ａに取り付ける上端固定用取付金具４０の３つを、少なくとも用いる。
【００３２】
図３（ｃ）に示すように、上端固定用取付金具４０は、板状鋼板を折り曲げ加工して形成され、平板面部４２と斜面部４４と平板面部４２に平行な段差面部４６とが連なる稲妻形状からなる。平板面部４２は上端側アンカー金具１６ａを介して下段縦壁パネル１０ａの上端側に固定される部分であり、段差面部４６は１階部分の梁２ａに固定される部分である。平板面部４２の幅方向中央位置にはボルトを挿通するボルト挿通孔４２ａが１つ形成されている。このボルト挿通孔４２ａは上下方向（長さ方向）に長い長穴で構成されている。段差面部４６の長さ方向中央位置で幅方向の両端にはビスを挿通する一対のビス挿通孔４６ａ，４６ａが形成されており、一対のビス挿通孔４６ａ，４６ａが形成されている位置よりも長さ方向の上側には共通のビスを挿通する一対の共通ビス挿通孔４６ｂ，４６ｂが形成されている。一対の共通ビス挿通孔４６ｂ，４６ｂのそれぞれは上下方向（長さ方向）に長い長穴で構成されている。
【００３３】
図３（ｂ）に示すように、Ｌ字形金具３０は、板状鋼板を折り曲げ加工して形成され、垂直面部３２と水平面部３４を有する。垂直面部３２は上端固定用取付金具４０の上端となる段差面部４６に当接する部分であり、水平面部３４は上段縦壁パネル１０ｂの下端が載置される部分である。垂直面部３２の長さ方向中央位置で幅方向の両端には共通のビスを挿通する一対の共通ビス挿通孔３２ａ，３２ａが形成されている。
【００３４】
共通のビスとは、上端固定用取付金具４０の段差面部４６の一対の共通ビス挿通孔４６ｂ，４６ｂとＬ字形金具３０の垂直面部３２の一対の共通ビス挿通孔３２ａ，３２ａの両方に挿通されるビスであり、Ｌ字形金具３０の垂直面部３２に形成された一対の共通ビス挿通孔３２ａ，３２ａは、垂直面部３２が上端固定用取付金具４０の段差面部４６に当接したときに段差面部４６に形成された一対の共通ビス挿通孔４６ｂ，４６ｂの位置と重なる位置に配置されている。なお、上端固定用取付金具４０の段差面部４６の一対のビス挿通孔４６ａ，４６ａにはＬ字形金具３０に挿通しない単独のビスが挿通される。
【００３５】
図３（ａ）に示すように、下端固定用取付金具２０は、板状鋼板を折り曲げ加工して形成され、平板面部２２と斜面部２４と平板面部２２に平行な段差面部２６とが連なり、段差面部２６が二又状に分岐する、稲妻状で門形の形状からなる。平板面部２２は下端側アンカー金具１６ｂを介して上段縦壁パネル１０ｂの下端側に固定される部分であり、段差面部２６は１階部分の梁２ａに固定される部分である。平板面部２２の幅方向中央位置にはボルトを挿通するボルト挿通孔２２ａが１つ形成されている。このボルト挿通孔２２ａは上下方向（長さ方向）に長い長穴で構成されている。段差面部２６の二又状に分岐する下端のそれぞれにはビスを挿通するビス挿通孔２６ａが形成されている。二又状に分岐する下端と下端の間は、上端固定用取付金具４０の段差面部２６の幅よりも大きく離れている。
【００３６】
図４（ａ）は、上段縦壁パネル１０ｂの下端側に下端側アンカー金具１６ｂを介して下端固定用取付金具２０を取り付けた状態を示した図であり、図４（ｂ）は、下段縦壁パネル１０ａの上端側に上端側アンカー金具１６ａを介して上端固定用取付金具４０を取り付けた状態を示した図である。
【００３７】
図４（ａ）に示すように、上段縦壁パネル１０ｂの裏面の下端側アンカー金具１６ｂの雌ネジが開口している位置にボルト挿通孔２２ａを合わせて下端固定用取付金具２０の平板面部２２を当接し、ボルト５０を用いて上段縦壁パネル１０ｂの裏面の下端側に下端固定用取付金具２０の平板面部２２を固定する。平板面部２２から斜面部２４を介して延びる段差面部２６は、上段縦壁パネル１０ｂの下端よりも下方に突出するように配置する。特に、ビス挿通孔２６ａが上段縦壁パネル１０ｂの下端よりも下方に位置し、パネル表面側から目視できるように配置する。
【００３８】
図４（ｂ）に示すように、下段縦壁パネル１０ａの裏面の上端側アンカー金具１６ａの雌ネジが開口している位置にボルト挿通孔４２ａを合わせて上端固定用取付金具４０の平板面部４２を当接し、ボルト５０を用いて下段縦壁パネル１０ａの裏面の上端側に上端固定用取付金具４０の平板面部４２を固定する。平板面部４２から斜面部４４を介して延びる段差面部４６は、下段縦壁パネル１０ａの上端よりも上方に突出するように配置する。特に、ビス挿通孔４６ａと共通のビス挿通孔４６ｂが下段縦壁パネル１０ａの上端よりも上方に位置し、パネル表面側から目視できるように配置する。
【００３９】
次に、縦壁パネル１０の取付手順を説明する。図５（ａ）〜（ｃ）には縦壁パネル１０の取付手順を段階的に示している。また、図６には図５（ｃ）のＢ−Ｂ線断面を示している。
【００４０】
図１において上下方向に配置される２枚の縦壁パネル１０ａ，１０ｂのうちでは、最初に下段縦壁パネル１０ａを取り付ける。下段縦壁パネル１０ａは、屋外側から基礎１と１階部分の梁２ａの間を橋渡しするように配置する。図５（ａ）に示すように、下段縦壁パネル１０ａの裏面を梁２ａに対向し、下段縦壁パネル１０ａの上端よりも上方に突出する上端固定用取付金具４０の段差面部４６を梁２ａに当接し、屋外側（パネル表面側）からビス挿通孔４６ａにビス５２をねじ込むことにより下段縦壁パネル１０ａの上端を１階部分の梁２ａに固定する。このビス５２には皿頭ビスを用い、ビス挿通孔４６ａは皿頭ビスの頭部が収まる皿孔とする。上端固定用取付金具４０は斜面部４４により平板面部４２と段差面部４６との間に段差が生じるため、パネル裏面と梁２ａの間には適度な隙間Ｓ１が形成される。上端固定用取付金具４０の平板面部４２を固定するボルト５０の頭は下段縦壁パネル１０ａの裏面よりも梁２ａ側に飛び出ているが、この隙間Ｓ１を利用してパネル裏面と梁２ａの間にボルト５０の頭を収めることができる。
【００４１】
次いで、図５（ｂ）に示すように、下段縦壁パネル１０ａの上端よりも上方の位置で、上端固定用取付金具４０の段差面部４６にＬ字形金具３０の垂直面部３２を当接し、垂直面部３２に形成された一対の共通ビス挿通孔３２ａ，３２ａを段差面部４６に形成された一対の共通ビス挿通孔４６ｂ，４６ｂの位置と重なる位置に配置し、屋外側（パネル表面側）から共通ビス挿通孔３２ａ，４６ｂに共通のビス５４をねじ込むことによりＬ字形金具３０の垂直面部３２を１階部分の梁２ａに固定する。Ｌ字形金具３０の水平面部３４は、梁２ａから下段縦壁パネル１０ａの上端よりも上側に位置する部分に張り出しており、下段縦壁パネル１０ａの上端面と間隔をあけて、上段縦壁パネル１０ｂの下端が載置される水平面部が設けられる。Ｌ字形金具３０の垂直面部３２と共通のビス５４の頭は、梁２ａよりも縦壁パネル１０側に飛び出ているが、パネル裏面と梁２ａの間の隙間Ｓ１を利用してパネル裏面と梁２ａの間にこれらを収めることができる。
【００４２】
次いで、下段縦壁パネル１０ａの上に上段縦壁パネル１０ｂを取り付ける。上段縦壁パネル１０ｂは、屋外側から１階部分の梁２ａと２階部分の梁２ｂの間を橋渡しするように配置する。図５（ｃ）に示すように、上段縦壁パネル１０ｂの裏面を梁２ａに対向し、Ｌ字形金具３０の水平面部３４に上段縦壁パネル１０ｂの下端を載置し、上段縦壁パネル１０ｂの下端よりも下方に突出する下端固定用取付金具２０の段差面部２６を梁２ａに当接する。この段差面部２６の二又状に分岐する下端は上端固定用取付金具４０の段差面部４６の幅よりも大きく離れており、図６に示すように、上端固定用取付金具４０の上端となる段差面部４６を避けるようにその幅方向両側に配置する。上段縦壁パネル１０ｂの下端位置はＬ字形金具３０の水平面部３２によって位置決めされており、下段縦壁パネル１０ａの上端と上段縦壁パネル１０ｂの下端との間には隙間Ｓ２が設けられている。下端固定用取付金具２０の段差面部２６の二又状に分岐する下端はこの隙間Ｓ２に現われるように配置する。特に、下端固定用取付金具２０の段差面部２６の下端に形成されたビス挿通孔２６ａがこの隙間Ｓ２に現われ、パネル表面側から目視できるように配置する。次いで、屋外側（パネル表面側）から目視できる、下段縦壁パネル１０ａの上端と上段縦壁パネル１０ｂの下端との間の隙間Ｓ２に現われているそのビス挿通孔２６ａにビスをねじ込むことにより、下端固定用取付金具２０の下端となる段差面部２６を１階部分の梁２ａに固定する。下端固定用取付金具２０の平板面部２２を固定するボルト５０の頭は上段縦壁パネル１０ｂの裏面よりも梁側２ａに飛び出ているが、パネル裏面と梁２ａの間の隙間Ｓ１を利用してパネル裏面と梁２ａの間にボルト５０の頭を収めることができる。
【００４３】
下段縦壁パネル１０ａの下端や上段縦壁パネル１０ｂの上端を固定するのに用いる取付金具は特に限定されるものではない。下段縦壁パネル１０ａの下端や上段縦壁パネル１０ｂの上端を固定するのに用いる取付金具としては、例えば下段縦壁パネル１０ａの上端を固定するのに用いる図３（ｃ）に示すような稲妻形状の取付金具であってもよいし、図３（ａ）に示すような稲妻形状の取付金具であってもよいし、図３（ｂ）に示すようなＬ字形状の取付金具であってもよい。公知の取付金具を用い、公知の方法を適用することができる。
【００４４】
以上の構成によれば、縦壁パネル１０の上端側および下端側の幅方向中央位置にそれぞれ１つずつ埋設されたアンカー金具１６を介して取付金具により縦壁パネル１０が水平方向の躯体間に架設されるとともに、下段縦壁パネル１０ａの上端と上段縦壁パネル１０ｂの下端との間に隙間Ｓ２が設けられているので、各縦壁パネル１０は、幅方向中央位置を支点として幅方向両端側が上下動可能で、層間変形によってロッキングすることができる。
【００４５】
このような構成において、下段縦壁パネル１０ａに埋設された上端側アンカー金具１６ａに取り付けられた上端固定用取付金具４０の上端は下段縦壁パネル１０ａの上端よりも上側で躯体に固定されるので、下段縦壁パネル１０ａの取付作業は屋外側から行うことができる。そして、上段縦壁パネル１０ｂに埋設された下端側アンカー金具１６ｂに取り付けられた下端固定用取付金具２０の下端は、上端固定用取付金具４０の上端を避けるように幅方向に二又状に分岐しており、下段縦壁パネル１０ａの上端と上段縦壁パネル１０ｂの下端との間に設けた隙間Ｓ２に現れており、この部分で下端固定用取付金具２０の下端が躯体に固定されるので、下端が下段縦壁パネル１０ａと関わる上段縦壁パネル１０ｂの取付作業も屋外側から行うことができる。したがって、木造建物の躯体の上下方向に２枚以上取り付ける縦壁パネル１０の取付作業を全て屋外から行うことができる。図１に示すように、木造建物は鉄骨ラーメン構造建物と比べて柱３の本数が多く、筋交い５や間柱４などが多用されるが、柱３や筋交い５などに邪魔されることなく縦壁パネル１０の取付作業を行うことができ、作業性に優れる。
【００４６】
そして、下段縦壁パネル１０ａに取り付けられた上端固定用取付金具４０において下段縦壁パネル１０ａの上端よりも上側に位置する部分に、下段縦壁パネル１０ａの上端面と間隔をあけて、上段縦壁パネル１０ｂの下端が載置される水平面部が設けられているので、上段縦壁パネル１０ｂの位置決めが容易で、上段縦壁パネル１０ｂ下端の躯体への取付作業に必要な大きさの隙間Ｓ２を設定しやすくなっている。また、この水平面部は上段縦壁パネル１０ｂの自重受けとなるものであり、これにより、上段縦壁パネル１０ｂの下端側アンカー金具１６ｂに掛かる上段縦壁パネル１０ｂの自重が小さく抑えられる。上段縦壁パネル１０ｂの位置決めや上段縦壁パネル１０ｂ下端の躯体への取付作業に特に問題がなければ、別段、このような水平面部は設けられていなくてもよい。
【００４７】
この水平面部は、垂直面部３２と水平面部３４とを有するＬ字形金具３０の垂直面部３２が上端固定用取付金具４０の上端に当接固定されたことで設けられており、垂直面部３２によって上端固定用取付金具４０を躯体に固定する部分の厚みが増えるため、上段縦壁パネル１０ｂの躯体への取付強度が向上するという効果が得られる。また、上端固定用取付金具４０の上端とＬ字形金具３０の垂直面部３２とが共通のビス５４によって躯体に固定されるので、上端固定用取付金具４０を躯体に固定する部分の厚みがＬ字形金具３０の垂直面部３２の厚みの分だけ増え、上段縦壁パネル１０ｂの躯体への取付強度が向上するという効果が得られる。
【００４８】
この水平面部の高さ位置は、長穴で構成される上端固定用取付金具４０の共通ビス挿通孔４６ｂにより調整できる。例えば縦壁パネル１０に製造誤差があったり縦壁パネル１０の取付誤差があったりしても、水平面部の高さ位置を調整することで誤差を吸収することができる。つまり、上段縦壁パネル１０ｂの取付位置の精度を高くできるし、上段縦壁パネル１０ｂ下端の躯体への取付作業に必要な大きさの隙間Ｓ２を確実に設けることができる。水平面部の高さ位置は、Ｌ字形金具３０の垂直面部３２の共通ビス挿通孔３２ａを長穴で構成することによっても調整できる。縦壁パネル１０の製造誤差等の要因が小さく水平面部の高さ位置の調整が不要であれば、別段、これらの共通ビス挿通孔４６ｂ，３２ａを長穴で構成しなくてもよい。
【００４９】
下端固定用取付金具２０の下端における躯体への固定位置は、長穴で構成される下端固定用取付金具２０のボルト挿通孔２２ａにより調整できる。これにより、水平面部の高さ位置を調整する意義と同様、縦壁パネル１０の製造誤差等を吸収することができる。縦壁パネル１０の取付作業を全て屋外から行うためには、下端固定用取付金具２０の下端を下段縦壁パネル１０ａの上端と上段縦壁パネル１０ｂの下端との間に設けた隙間Ｓ２で固定する必要があり、このような調整機構を有することによりこの隙間Ｓ２で確実に下端固定用取付金具２０の下端を躯体に固定できる。縦壁パネル１０の製造誤差等の要因が小さく固定位置の調整が不要であれば、別段、ボルト挿通孔２２ａを長穴で構成しなくてもよい。
【００５０】
単独のビス５４を皿頭ビスとし、このビス５４を挿通するビス挿通孔４６ａを皿孔とする理由は、上端固定用取付金具４０の単独のビス５４を挿通するビス挿通孔４６ａの位置がＬ字形金具３０の垂直面部３２の取付位置に重なっていても単独のビス５４がＬ字形金具３０の垂直面部３２の取り付けを邪魔しないようにするためであり、邪魔にならないところにＬ字形金具３０の垂直面部３２が当接するのであれば、別段、皿頭ビスおよび皿孔としなくてもよい。
【００５１】
図１では上下方向に２枚取り付ける例を示しているが、本発明は縦壁パネル１０が上下方向に３枚以上取り付けられる場合にも適用可能であり、３階建て以上の建物についても適用できるのは勿論である。
【００５２】
図３（ｃ）では、上端固定用取付金具４０を梁２ａに固定するためのビス挿通孔として、段差面部４６の長さ方向中央位置で幅方向の両端に形成された一対のビス挿通孔４６ａ，４６ａと、一対のビス挿通孔４６ａ，４６ａよりも長さ方向の上側に形成された一対の共通ビス挿通孔４６ｂ，４６ｂと、を示しているが、例えば取付強度の面で問題がなければ一対の共通ビス挿通孔４６ｂ，４６ｂのみとして長さ方向中央位置の一対のビス挿通孔４６ａ，４６ａを省略することも可能である。
【符号の説明】
【００５３】
１  基礎
２  梁
３  柱
１０  縦壁パネル
１６  アンカー金具
２０  下端固定用取付金具
３０  Ｌ字形金具
４０  上端固定用取付金具
Ｓ２  上段縦壁パネル−下段縦壁パネル間の隙間
【図１】
2014159696.tif 000003
【図２】
2014159696.tif 000004
【図３】
2014159696.tif 000005
【図４】
2014159696.tif 000006
【図５】
2014159696.tif 000007
【図６】
2014159696.tif 000008